(57)【特許請求の範囲】
【請求項１】
箱の表面に装飾紙が貼着されてなる貼箱の製造方法において、予め所定の寸法に切り抜かれた装飾紙の裏面に粘着剤含有液を塗布し、粘着剤含有液が塗布された装飾紙を塗布面が上になるようにして吸引孔を備えたコンベヤ上に載置し、コンベヤ上に載置された装飾紙を運搬しながら加熱して粘着剤含有液中の溶剤を蒸発させて粘着剤層を形成し、形成された粘着剤層を介して装飾紙を箱の表面に貼着するに際し、前記粘着剤含有液を塗布してから加熱を開始するまでの時間が０．２〜１０秒であり、かつ加熱する時間が１〜３０秒であることを特徴とする貼箱の製造方法。
【請求項２】
前記粘着剤層を形成してから、前記コンベヤ上に載置されている装飾紙の粘着剤層側の面に箱を位置合わせして押し付け、自動ラッパーにて箱の表面に装飾紙を貼り付ける請求項１記載の貼箱の製造方法。
【請求項３】
箱の表面に装飾紙が貼着されてなる貼箱の製造方法において、予め所定の寸法に切り抜かれた装飾紙の裏面に粘着剤含有液を塗布し、粘着剤含有液が塗布された装飾紙を塗布面が上になるようにして吸引孔を備えたコンベヤ上に載置し、コンベヤ上に載置された装飾紙を運搬しながら加熱して粘着剤含有液中の溶剤を蒸発させて粘着剤層を形成し、形成された粘着剤層を介して装飾紙を箱の表面に貼着するに際し、前記粘着剤層を形成してから、前記コンベヤ上に載置されている装飾紙の粘着剤層側の面に、該装飾紙の寸法よりも大きい剥離紙を積層して一旦装飾紙と剥離紙とからなる積層体を形成し、その後該積層体から剥離紙を剥離して前記箱の表面に装飾紙を貼着するとともに、剥離された剥離紙を再使用することを特徴とする貼箱の製造方法。
【請求項４】
加熱された気体を前記塗布面に吹き付けることによって加熱する請求項１〜３のいずれか記載の貼箱の製造方法。
【請求項５】
８０〜３００℃の気体を接触させることによって加熱する請求項１〜４のいずれか記載の貼箱の製造方法。
【発明の詳細な説明】
【技術分野】
【０００１】
本発明は、箱の表面に装飾紙が貼着されてなる貼箱の製造方法に関する。
【背景技術】
【０００２】
箱の表面に装飾紙が貼着された貼箱は、外観が美麗であるため、各種贈答品用の包装箱などとして広く用いられている。このような貼箱の製造方法としては、所定形状に切断された装飾紙の裏面に加熱溶解させた膠の水溶液を塗布し、当該水溶液が乾かないうちに基材となる箱の表面に貼り付ける方法が広く採用されている。そして、そのような製造方法に使用するための糊付装置や貼り付け装置が各種提案されている（例えば特許文献１）。
【０００３】
しかしながら、装飾紙を貼り付けた直後には膠の水溶液が未だ乾いていないので、接着力が不十分となりやすい。特に、硬い素材の装飾紙を貼るような場合に、接着力不足によって接着後の装飾紙の端部に浮きが発生することが大きな問題であった。この問題に対しては、装飾紙を貼り付けてしばらくしてから、手作業で端部を押さえつけて接着させ、発生した浮きを解消させる方法などによって対応しているが、生産性が大きく低下するし、それでもなお不良品が発生する場合があった。
【０００４】
特許文献２には、粘着剤が裏面全面に塗布された所定の寸法を有する装飾紙を箱の表面に貼着する貼箱の製造方法が記載されている。この方法によれば、膠の水溶液を塗着したときのように装飾紙が伸びたり腰が弱くなったりすることがなく、短時間で乾燥することもないので、素人であっても簡単かつ正確に貼着することができるとされている。特許文献２の第２図に示されているように、装飾紙の裏面を装飾紙と同一形状の剥離紙で覆った積層体が記載されていて、これから剥離紙をはがして、装飾紙が箱に貼着されるが、剥離紙のコストの分だけ貼箱の製造コストが上昇してしまうことになる。また、特許文献２では工業的に生産性良く貼箱を製造することについては何ら考慮されていない。
【０００５】
工業的に製造する場合の粘着剤の塗布操作は、生産性の観点からロール状に巻かれた紙に対して行われることが多い。具体的には、まずロールから繰り出された剥離紙の剥離剤層が形成されている面に対して粘着剤を含む溶液又は分散液が塗布され、引き続きそれを加熱乾燥させることによって粘着剤層が形成される。こうして形成された粘着剤層に対して、やはりロールから繰り出された、印刷等の施された紙の裏面が合わされて積層され、圧着される。このようにして連続的に得られた積層体から、所定の形状に打ち抜かれる。打ち抜き操作に際しては、印刷等の施された紙についてだけ打ち抜いて剥離紙は打ち抜かないハーフカット方式も採用されるし、積層体全体を打ち抜くフルカット方式も採用される。
【０００６】
生産性の観点からは、ロール状で高速製造することが好ましいものの、この場合には、剥離紙を使い捨てにしなければならず、その分コストが上昇してしまう。仮に、前記ハーフカット方式を採用したとしても、剥離紙には、刃の型が残ることが避けられず、再度ロールに巻き取って再使用することは困難だからである。また、貼箱の製造においては、小ロットの銘柄を製造することが多く、ロール状で大量に製造する場合には、無駄が発生する場合も多かった。貼箱のようにコスト競争力が重要な商品においては、工業的生産を行う場合に、上記問題点が大きな障害になっており、これまでに粘着剤を使用して貼箱を工業的に生産することは、実質的に全く行われていなかった。
【０００７】
【特許文献１】特開平１−９３３３４号公報
【特許文献２】特開平１−３２０１４４号公報
【発明の開示】
【発明が解決しようとする課題】
【０００８】
本発明は、上記課題を解決するためになされたものであり、低コストでありながら、様々な装飾紙を箱に対して確実に接着させることのできる貼箱の製造方法を提供することを目的とするものである。
【課題を解決するための手段】
【０００９】
上記課題は、箱の表面に装飾紙が貼着されてなる貼箱の製造方法において、予め所定の寸法に切り抜かれた装飾紙の裏面に粘着剤含有液を塗布し、粘着剤含有液が塗布された装飾紙を塗布面が上になるようにして吸引孔を備えたコンベヤ上に載置し、コンベヤ上に載置された装飾紙を運搬しながら加熱して粘着剤含有液中の溶剤を蒸発させて粘着剤層を形成し、形成された粘着剤層を介して装飾紙を箱の表面に貼着するに際し、前記粘着剤含有液を塗布してから加熱を開始するまでの時間が０．２〜１０秒であり、かつ加熱する時間が１〜３０秒であることを特徴とする貼箱の製造方法を提供することによって解決される。
このとき、前記粘着剤層を形成してから、前記コンベヤ上に載置されている装飾紙の粘着剤層側の面に箱を位置合わせして押し付け、自動ラッパーにて箱の表面に装飾紙を貼り付ける方法が好適な実施態様である。
また、上記課題は、箱の表面に装飾紙が貼着されてなる貼箱の製造方法において、予め所定の寸法に切り抜かれた装飾紙の裏面に粘着剤含有液を塗布し、粘着剤含有液が塗布された装飾紙を塗布面が上になるようにして吸引孔を備えたコンベヤ上に載置し、コンベヤ上に載置された装飾紙を運搬しながら加熱して粘着剤含有液中の溶剤を蒸発させて粘着剤層を形成し、形成された粘着剤層を介して装飾紙を箱の表面に貼着するに際し、前記粘着剤層を形成してから、前記コンベヤ上に載置されている装飾紙の粘着剤層側の面に、該装飾紙の寸法よりも大きい剥離紙を積層して一旦装飾紙と剥離紙とからなる積層体を形成し、その後該積層体から剥離紙を剥離して前記箱の表面に装飾紙を貼着するとともに、剥離された剥離紙を再使用することを特徴とする貼箱の製造方法を提供することによっても解決される。
【００１０】
上記製造方法において、加熱された気体を前記塗布面に吹き付けることによって加熱することが好適である。また、８０〜３００℃の気体を接触させることによって加熱することが好適である。
【発明の効果】
【００１４】
本発明の貼箱の製造方法によれば、低コストで貼箱を生産することができ、しかも、様々な装飾紙を箱に対して確実に接着させることができる。
【発明を実施するための最良の形態】
【００１５】
以下、図面を用いて本発明を説明する。図１は本発明の糊付装置の一例の概略断面図である。図２は本発明の糊付装置の一例の平面概略図である。図３は本発明の糊付装置の一例の加熱室部分の概略断面図である。図１及び図２中に記載されている矢印は、空気の流れ及びロールの回転の向きを示したものである。
【００１６】
本発明の製造方法によって得られる貼箱は、箱の表面に装飾紙が貼着されてなるものである。装飾紙が貼着される基材となる箱の素材は特に限定されない。紙製の箱を使用することはもちろん、木、プラスチックなど、その他の素材の箱を使用することもできる。立体的な形体を維持できるだけの剛性を有する素材でありさえすればよい。本発明の製造方法では、従来使用されていた膠ではなく粘着剤を用いるので、様々な素材に対する接着性が良好であるので、紙以外の箱に対しても適用が容易である。
【００１７】
基材となる箱に対して接着される装飾紙の素材も特に限定されない。洋紙、和紙などの紙が代表的であるが、布、樹脂フィルム、金属箔などを使用することもできる。フレキシブルであって紙と同様にハンドリングできるものでありさえすればよく、本発明でいう「装飾紙」は、そのような素材からなるものをも含む、装飾用の薄手の部材である。これらの素材の表面に印刷を施したり、着色を施したりして貼箱の意匠性を向上させる。装飾紙の素材は異なる複数の素材が積層されたものでも構わない。例えば、紙の表面を樹脂フィルムでコーティングしたものや、紙と金属箔とを積層したもの、紙と不織布とを積層したものなど、目的に応じて様々な組合せが可能である。また、装飾紙にエンボスを施すことも可能である。装飾紙は、箱の大きさやデザインなどに対応させて、予め所定の形状に切り抜かれたものを使用する。本発明の製造方法では、従来使用されていた膠ではなく粘着剤を用いるので、このように様々な素材や形状の装飾紙を確実に接着することができる。特に、硬い素材の装飾紙や、エンボスの施された装飾紙は、端部が浮きやすいので、本発明の製造方法を採用することが特に好適である。
【００１８】
箱と装飾紙を接着するために用いられる粘着剤含有液としては、粘着剤成分を含有する水性エマルジョンや、粘着剤成分が有機溶剤に溶解した溶液などを用いることができる。なかでも、作業環境や周辺環境に与える影響を考慮すれば水性エマルジョンであることが好ましい。貼箱の生産は、比較的小ロットであることが多いこともあり、完全自動化は困難であり、作業員による手作業を要する場合も多いので、作業環境を良好に維持することは重要である。水性エマルジョンを使用する場合には、装飾紙に対する水分の含浸による反りや伸びが生じやすく、また有機溶剤に比べて乾燥しにくいが、このような水性エマルジョンを使用した場合であっても、本発明の製造方法によれば生産性良く貼箱を製造することができる。
【００１９】
以下、図１〜３に記載された糊付装置１を例にして貼箱の製造方法を説明する。まず、互いに逆方向に回転している塗布用ロール１１と補助ロール１２の間の液溜め１３に粘着剤含有液をタンク１４から供給する。液溜め１３の両側はロールの形に添ったプラスチック製の液止め板１５が配置され、粘着剤含有液がロール上に溜められる。塗布用ロール１１と補助ロール１２の間は所定のギャップが設定されており、このギャップの広さを調整することによって、装飾紙２に塗布される粘着剤含有液の量を調整することができる。図の例では、液溜め１３に粘着剤含有液を溜めておき、液量が低下したら適宜バルブ１６を開いて液を補充する。このように間歇的に粘着剤含有液を供給する代わりに、塗布用ロール１１と補助ロール１２の間に連続的に粘着剤含有液を供給し、ロール両端から連続的に流出させて、これを回収してポンプでタンク１４に戻す方法を採用することもできる。また、本発明における塗布手段はロールコーターが代表的であるが、これに限定されず、所定の形状に切り抜かれた装飾紙２の裏面に粘着剤含有液を塗布することの可能なものであればよい。
【００２０】
予め所定の形状に切り抜かれた装飾紙２は、装飾紙載置台３の上に、裏面を上にして重ねて載置される。積み重ねられた装飾紙２は、その両側をガイド４で挟むとともに、後部をピン５で上から押さえて、１枚ずつ確実に繰り出せるようになっている。繰り出し操作はゴムロール６が回転しながら下方に下がることによって行われ、同方向に回転するゴムロール７とともに装飾紙２を前方に送り出す。送り出された装飾紙２の裏面は粘着剤含有液が表面に付着した塗布用ロール１１に接触しながら塗布用ロール１１と対向ロール１７の間を通過する。これによって装飾紙２の裏面全体が塗布用ロール１１の表面に貼り付くことになる。塗布用ロール１１と対向ロール１７の間のギャップは、塗布用ロール１１の表面に付着した粘着剤含有液が対向ロール１７に接触しない範囲で近接させている。
【００２１】
塗布用ロール１１に貼り付いた装飾紙２は、剥離ガイド１８によって塗布用ロール１１から剥離され、粘着剤含有液が塗布された面が上になるようにしてコンベヤ２１上に載置される。コンベヤ２１には吸引孔２２が多数設けられており、内部から吸引することによってコンベヤ２１の表面に装飾紙２が固定され、固定された状態で運搬される。装飾紙２の素材は紙であることが多いが、このように吸引することによって、運搬中に反りやシワが発生することを防止することができる。特に、粘着剤含有液として水性エマルジョンを使用する場合には、水分の吸収によって反りやシワが発生しやすいので、このような固定手段を採用することが特に重要である。
【００２２】
コンベヤ２１に設けられる吸引孔２２は、装飾紙２を固定するのに十分な数が形成されていればよい。例えば、コンベヤ２１自体を実質的に気体不透過性の素材で製造し、それに対して所定間隔で貫通孔を形成すればよい。この場合には、１０〜１００ｍｍのピッチで直径１〜１０ｍｍの貫通孔を設けることが好ましい。また、適度な通気性を有する布地をコンベヤ２１として使用することもでき、この場合には、布地の微細な目のひとつひとつが吸引孔として働くことになる。コンベヤ２１は、吸引ケース２３に囲まれていてその上面のみが露出するようになっている。吸引ケース２３の内部は、排気路２４を経てブロア２５に接続されていて、ブロア２５を運転することによって減圧される。その結果、大気圧によって装飾紙２がコンベヤ２１に押し付けられることになる。生産性を考慮すれば、コンベヤ２１の速度は５ｃｍ／秒以上であることが好ましく、１０ｃｍ／秒以上であることがより好ましい。一方、糊付の確実性を考慮すれば、コンベヤ２１の速度は２ｍ／秒以下であることが好ましく、１ｍ／秒以下であることがより好ましい。
【００２３】
このようにしてコンベヤ２１上に固定された装飾紙２は、運搬されて加熱室３１に導入される。粘着剤含有液を塗布してから加熱を開始するまで、すなわち塗布から加熱室３１に導入されるまでの時間が０．２〜１０秒であることが好ましい。この時間が短すぎる場合には、粘着剤含有液が表面に付着した塗布用ロール１１に加熱室３１からの熱が伝わるおそれがあり、安定的な塗布操作が困難になるおそれがある。したがって、この時間はより好適には０．５秒以上であり、さらに好適には１秒以上である。一方、この時間が長すぎると、乾燥までに時間がかかり過ぎて、粘着剤含有液が装飾紙２の内部に滲み込んでしまい、表面にシミが浮き出たり、粘着剤層の粘着力が不十分になったりするおそれがある。したがって、この時間はより好適には７秒以下であり、さらに好適には５秒以下である。
【００２４】
加熱室３１は、コンベヤ２１の上方をカバー３２で覆うことによって設けられる。加熱室３１の中でコンベヤ２１上に載置された装飾紙２を運搬しながら加熱して、粘着剤含有液中の溶剤を蒸発させて粘着剤層を形成する。このとき、吸引孔２２からの吸引を継続することによって、溶剤の急激な蒸発に伴なって発生する装飾紙２の反りを抑制することができる。カバー３２はコンベヤ２１の上方を覆って熱が逃げるのを防止できるものであればよい。当該カバー３２には、少なくとも装飾紙２を導入するためのコンベヤ入口３３及び装飾紙を導出するためのコンベヤ出口３４が設けられる。コンベヤ２１の上面から測定したコンベヤ入口３３及びコンベヤ出口３４の開口高さは、１〜１０ｃｍにすることが好ましい。開口高さが高すぎる場合には、熱が逃げて熱効率が悪くなるので、より好適には７ｃｍ以下、さらに好適には５ｃｍ以下である。一方、開口高さが低すぎる場合には、反りが発生した場合にコンベヤ入口３３又はコンベヤ出口３４において、装飾紙２が引っかかるおそれがある。したがって、コンベヤ入口３３又はコンベヤ出口３４の開口高さは、より好適には２ｃｍ以上、さらに好適には３ｃｍ以上である。コンベヤ入口３３側では、塗布後にコンベヤ２１上に載置する際にシワが発生した場合などに、装飾紙２が引っかかるおそれがある。また、コンベヤ出口３４側では、加熱室３１内での乾燥後に反りが発生した場合などに装飾紙２が引っかかるおそれがある。
【００２５】
通常、吸引孔２２からの吸引によってコンベヤ入口３３及びコンベヤ出口３４から加熱室３１内部に外気が流入するが、コンベヤ出口３４では装飾紙２の進行方向に逆向きの風が発生する。コンベヤ出口３４の開口高さが低い場合には風速が大きくなるので、少しの反りでも風で巻き上げられて装飾紙２がコンベヤ出口３４に引っかかるおそれがある。したがって、このような巻き上げを防止するために、加熱室３１のコンベヤ出口３４の近傍において、カバー３２に開閉可能な蓋３５を備えた外気取り入れ口３６が設けられている。反りの発生しやすい厚手の装飾紙２を用いる場合などには、外気取り入れ口３６を開けることによって、装飾紙２がコンベヤ出口３４に引っかかるのを防止することができる。図の例のように、カバー３２の上面に外気取り入れ口３６を配置した場合には、外気取り入れ口３６からの空気によって装飾紙２を押し付ける効果を得ることもできる。また、コンベヤ出口３４の高さ調整ができるようにしてもよい。この場合には、高さ調整のための部分が、開閉可能な外気取り入れ口に該当することになる。
【００２６】
加熱室３１内で粘着剤含有液が塗布された装飾紙２を加熱する際の加熱方法は特に限定されず、ヒーターの輻射熱で加熱しても構わないし、加熱室全体に熱風を導入しても構わない。しかしながら、本発明においては、加熱室３１内において加熱された気体を粘着剤含有液が塗布された面に吹き付けることが好ましい。加熱室３１では、コンベヤ２１に設けられた吸引孔２２から空気が流出し、コンベヤ入口３３及びコンベヤ出口３４から外気が流入するので、自然対流や輻射だけで加熱すると加熱ムラが発生しやすいからである。図の例では、ヒーター４１で加熱された気体が、導入管４２を通って、分岐点４３で二手に分かれ、その後、２本のパイプ４４の中に導かれる。パイプ４４にはそれぞれ下方の３方向に向けて多数の孔４５が設けられていて、コンベヤ２１の方向に向けて熱風が吹き付けられる。パイプ４４の先端は閉じられている。これによって、粘着剤含有液が塗布された面に対して、熱風が強制的に当たるので、効率よく、しかもムラなく加熱することが可能である。加熱された気体を下方に向けて吹き付けるための吹き付け手段は、上記例に限られず、スリットから熱風を吹き出させてもよいし、多数のノズルを配置してもよい。
【００２７】
加熱室３１内において、８０〜３００℃の気体を接触させることによって加熱することが好ましい。粘着剤含有液を剥離紙にロールコーティングして大量生産する場合の乾燥温度は、比較的低温である場合が多いが、本発明においては、粘着剤含有液の装飾紙２への滲み込みや生産効率等の問題もあって短時間で乾燥させることが好ましく、高温にすることが好ましい。より好適には１００℃以上であり、さらに好適には１２０℃以上である。逆に、温度が高すぎる場合には、エネルギー損失が大きくなるおそれがあるとともに、粘着剤が劣化するおそれもあるので、より好適には２５０℃以下であり、さらに好適には２００℃以下である。加熱室３１内における加熱時間は１〜３０秒であることが好ましい。加熱時間が短すぎると溶剤の揮発が不十分となるおそれがある。加熱時間は、より好適には２秒以上、さらに好適には３秒以上である。一方、加熱時間が長すぎる場合には、生産性が低下する上に、装置スペースも大きくなってしまう。加熱時間は、より好適には２０秒以下、さらに好適には１５秒以下である。加熱室３１内の気体は、導出管４６を通ってヒーター４１に戻り、再度加熱される。
【００２８】
加熱室３１を出た装飾紙２は、さらにコンベヤ２１で運搬される。図の例では、吸引ケース２３の境界部２６より下流側ではコンベヤ２１の吸引は行っていない。したがって、それよりも下流では、裏面に粘着剤層が形成された装飾紙２が、単にコンベヤ２１の上面に載って流れているだけである。箱に対して装飾紙２を貼り付ける作業を手作業で行う場合には、このように吸引を行っていない部分において、コンベヤ２１から装飾紙２を取り上げて、箱に貼り付けるのが好ましい。
【００２９】
特に、装飾紙２の裏面に粘着剤層を形成してから、コンベヤ２１上に載置されている装飾紙２の粘着剤層側の面に、装飾紙２の寸法よりも大きい剥離紙５１を積層して、一旦装飾紙２と剥離紙５１とからなる積層体５２を形成することが好ましい。図４に、そのような積層体５２の例を示す。具体的には、粘着剤層を上にしてコンベヤ上に載置されて運搬されている装飾紙２に対し、剥離紙５１の離型剤が塗布された面が下になるようにして押し付けて、積層体５２を作成する。こうして得られた積層体５２は、別の場所に運んで剥離紙５１を剥離して箱に貼り付けることもできるし、まとめて保存しておいて別の時期に貼り合わせることもできる。したがって、作業員のマンパワーに対応して柔軟に生産管理することができるようになるし、貼り合わせの手作業だけを外注することも可能である。小ロット品や、特殊形態品の場合には、機械を用いて貼り合わせることが困難なので、手作業に頼らざるを得ないが、そのような場合に柔軟に対応することができる。このとき、剥離紙５１は特に破損することはないので、再使用が可能である。大きめの剥離紙５１を用意すれば、様々な形の装飾紙２に対応することが可能である。これによって、剥離紙５１のコストがほとんどかからなくなるので、粘着剤を使用しても、従来の膠に比べて、遜色のないコストで生産が可能となる。しかも、粘着剤を使用する場合には、貼り合わせのタイミングによって接着力が変化せず、安定して高い接着力が得られるので、作業員の能力による性能のバラつきが生じにくいし、装飾紙２の端部が浮くようなこともない。
【００３０】
一方、自動ラッパーを用いて、貼り合わせを機械で自動的に行うような場合には、粘着剤層を形成してから、コンベヤ２１上に載置されている装飾紙２の粘着剤層側の面に箱を位置合わせして押し付け、自動ラッパーにて箱の表面に装飾紙２を貼り付ける。この場合には、図の例とは異なり、加熱室３１から導出された後も、コンベヤ２１の吸引を継続しているほうが、位置合わせが確実にできて好ましい。このように自動ラッパーを使用する場合であれば、粘着剤を使用しながらも、結局剥離紙を使用することはないので、従来の膠に比べて、ほぼ同等のコストで生産が可能である。また、装飾紙２が硬い紙であるような場合であっても、箱に対する接着力が高いので、装飾紙２の端部が浮くことがない。したがって、後から手作業で端部を押さえたりする必要がなく、完全に自動化することができる。
【００３１】
以上のようにして製造された貼箱は、外観が美麗であり、端部において装飾紙が浮くようなこともないので、贈答用の包装箱など、広く様々な用途に使用することができる。
【図面の簡単な説明】
【００３２】
【図１】本発明の糊付装置の一例の概略断面図である。
【図２】本発明の糊付装置の一例の平面概略図である。
【図３】本発明の糊付装置の一例の加熱室部分の概略断面図である。
【図４】装飾紙と剥離紙とからなる積層体を示した図である。
【符号の説明】
【００３３】
１  糊付装置
２  装飾紙
１１  塗布用ロール
１４  タンク
２１  コンベヤ
２２  吸引孔
２３  吸引ケース
２５  ブロア
３１  加熱室
３２  カバー
４１  ヒーター
４４  パイプ
５１  剥離紙
【図１】
0004793982.tif 000002
【図２】
0004793982.tif 000003
【図３】
0004793982.tif 000004
【図４】
0004793982.tif 000005